(57)【要約】【課題】既存の物理的な操作スイッチ１３２、１３４、１３６、１３８を増加させることなく、安全な電源スイッチを形成する。【解決手段】ユーザによって物理的に操作される操作スイッチ１３２、１３４、１３６、１３８と、読み取り部３２０および起動回路３５１、３５２、３５４、３５６、３５８が電源に接続されている場合に、操作スイッチ１３２、１３４、１３６、１３８に対する特定操作を検知して割り当てられた機能（１）３１２、機能（２）３１４、機能（３）３１６機能（４）３１８を実行させる起動回路３５１、３５２、３５４、３５６、３５８と、操作スイッチ１３２、１３４、１３６、１３８に対する終了操作を電気的に検出して、読み取り部３２０および起動回路３５１、３５２、３５４、３５６、３５８を電源から遮断するスイッチ回路３３２、３３４、３３６、３４２、３４４とを備える。【選択図】図６
2008147827.tif 000002
【特許請求の範囲】
【請求項１】
予め組み込まれた特定動作手順を、ユーザの物理的な操作に応じて内部回路に実行させる画像読み取り装置であって、
ユーザによって物理的に操作される操作スイッチと、
前記内部回路に電源を供給する電源回路と、
前記操作スイッチに対する特定操作を検知し、前記特定操作に割り当てられた前記特定動作手順を前記内部回路に実行させる起動回路と、
前記操作スイッチに対する前記特定操作とは異なる終了操作を前記起動回路とは個別に電気的に検出して、前記内部回路を前記電源回路から遮断する電源遮断回路と
を備える画像読み取り装置。
【請求項２】
前記起動回路は、前記操作スイッチの操作により変化する電位の変化をトリガとして前記内部回路に前記特定動作手順を実行させる請求項１に記載の画像読み取り装置。
【請求項３】
前記電源遮断回路は、前記特定動作手順を実行させる場合に前記操作スイッチが操作される時間よりも長い時間操作されたことを前記終了操作として検知する請求項１に記載の画像読み取り装置。
【請求項４】
前記電源遮断回路は、
一端を電源に接続され、前記操作スイッチの操作により変化する電位を前記起動回路と共通に制御端子に受ける第１トランジスタと、
前記第１トランジスタの他端に一端を接続された遅延回路と、
一端を接地電位に接続され、前記遅延回路の他端を制御端子に受ける第２トランジスタと、
一端を前記電源回路に接続され、他端を前記内部回路に接続され、制御端子に前記第２トランジスタの他端を接続された第３トランジスタと
を有し、
前記遅延回路の時定数に対応した時間、前記操作スイッチが操作されたことを前記終了操作として検知する請求項３に記載の画像読み取り装置。
【請求項５】
前記操作スイッチは、第１特定動作手順の実行を開始させる第１操作スイッチと、第２特定動作手順の実行を開始させる第２操作スイッチとを備え、
前記電源遮断回路は、前記第１操作スイッチおよび前記第２操作スイッチが同時に操作されたことを前記終了操作として検知する請求項２に記載の画像読み取り装置。
【請求項６】
前記電源遮断回路は、
一端を前記電源回路に接続され、前記第１操作スイッチの操作により変化する電位を制御端子に受ける第１トランジスタと、
一端に前記第１トランジスタの他端を接続され、前記第２操作スイッチの操作により変化する電位を前記第２操作スイッチと共通に制御端子に受ける第２トランジスタと、
一端を前記電源回路に接続され、他端を前記内部回路に接続され、制御端子に前記第２トランジスタの他端を接続された第３トランジスタと
を有する請求項５に記載の画像読み取り装置。
【請求項７】
前記内部回路が前記電源回路から遮断されている場合に、前記操作スイッチに対する操作を電気的に検出したときに、前記内部回路に電源を投入する電源投入回路を更に備える請求項１から請求項６までのいずれか１項に記載の画像読み取り装置。
【請求項８】
前記電源投入回路は、一端を前記電源回路に接続され、他端を前記画像読み取り装置の内部回路に接続され、前記操作スイッチの操作により変化する電位を制御端子に受けるトランジスタを含む請求項７に記載の画像読み取り装置。
【発明の詳細な説明】
【技術分野】
【０００１】
本発明は、画像読み取り装置に関する。特に、本発明は、特定操作に割り当てられた操作スイッチを終了操作に用いる画像読み取り装置に関する。
【背景技術】
【０００２】
紙やフィルムの原稿を、デジタル情報の画像として取り込む画像読み取り装置がある。読み取り装置のひとつの形態であるフラットベッド型画像読み取り装置は、箱型の筐体の上面にガラス等の透明板により形成された原稿台を備える。また、原稿台の直下には、原稿台に対して平行に移動するキャリッジが設けられる。キャリッジには光源および光電変換素子を組み合わせて形成されたラインセンサが配置される。原稿台に載せられた原稿の画像を読み取る場合は、キャリッジが原稿の表面を走査して、原稿台に接した画像に応じた電気信号が得られる。得られた電気信号は、さらに変換器によりデジタル信号に変換され、一定の信号処理を施された後、画像情報として外部の情報処理装置等に転送される。
【０００３】
上記のような画像読み取り装置は、読み取り動作をしていない場合は殆ど電力を消費しない。従って、機種によっては電源スイッチを設けず、コンセント等の電力源に接続されている間は常に待機状態になるものもある。しかしながら、待機状態の電力も削減することが好ましい。
【０００４】
そこで、下記の特許文献１から特許文献６に記載されるように、他の用途で設けられたスイッチを電源スイッチとして利用することが知られている。
【特許文献１】特開平０７−３２０５８３号公報
【特許文献２】特開平１０−２０１１１５号公報
【特許文献３】特開２００３−０８７７０５号公報
【特許文献４】特開２００５−２６１０４１号公報
【特許文献５】特開２００６−０６６９４５号公報
【特許文献６】特開２００６−２４３２３９号公報
【発明の開示】
【発明が解決しようとする課題】
【０００５】
しかしながら、これらの文献に記載されたスイッチは、当初の機能を実行するための操作と電源スイッチとしての操作を区別する目的で、その機器を制御する制御装置がスイッチの操作を監視している。このような方法で電源スイッチを形成するには、その機器のファームウェアそのものを変更しなければならない。また、機器毎に、その機器の制御体系と整合させなければならない。
【課題を解決するための手段】
【０００６】
そこで、上記課題を解決すべく、本発明の第１の形態として、予め組み込まれた特定動作手順を、ユーザの物理的な操作に応じて内部回路に実行させる画像読み取り装置であって、ユーザによって物理的に操作される操作スイッチと、内部回路に電源を供給する電源回路と、操作スイッチに対する特定操作を検知し、特定操作に割り当てられた特定動作手順を内部回路に実行させる起動回路と、操作スイッチに対する特定操作とは異なる終了操作を起動回路とは個別に電気的に検出して、内部回路を電源回路から遮断する電源遮断回路とを備える画像読み取り装置が提供される。これにより、従って、制御装置のファームウェアを変更することなく、操作スイッチを電源スイッチとして兼用することができる。
【０００７】
また、ひとつの実施形態によると、上記画像読み取り装置において、起動回路は、操作スイッチの操作により変化する電位の変化をトリガとして内部回路に特定動作手順を実行させる。これにより、電源スイッチとしても利用する操作スイッチに、内部回路に実行させる特定の動作手順を起動させるスイッチとすることができる。
【０００８】
更に、他の実施形態によると、上記画像読み取り装置において、電源遮断回路は、特定動作手順を実行させる場合に操作スイッチが操作される時間よりも長い時間操作されたことを終了操作として検知する。これにより、特定動作を実行させる目的で操作スイッチを操作した場合に、誤って電源を遮断することが防止される。
【０００９】
また他の実施形態によると、上記画像読み取り装置において、電源遮断回路は、一端を電源に接続され、操作スイッチの操作により変化する電位を起動回路と共通に制御端子に受ける第１トランジスタと、第１トランジスタの他端に一端を接続された遅延回路と、一端を接地電位に接続され、遅延回路の他端を制御端子に受ける第２トランジスタと、一端を電源回路に接続され、他端を内部回路に接続され、制御端子に第２トランジスタの他端を接続された第３トランジスタとを有し、遅延回路の時定数に対応した時間、操作スイッチが操作されたことを終了操作として検知する。これにより、簡潔な回路で上記の機能を実現できる。また、画像読み取り装置の制御回路と関係なく操作スイッチの電源スイッチとしての操作を検出できるので、画像読み取り装置の動作に影響を与えることがない。
【００１０】
また他の実施形態によると、上記画像読み取り装置において、操作部は、第１特定動作手順の実行を開始させる第１操作スイッチと、第２特定動作手順の実行を開始させる第２操作スイッチとを備え、電源遮断回路は、第１操作スイッチおよび第２操作スイッチが同時に操作されたことを終了操作として検知する。これにより、特定動作を実行させる目的で操作スイッチを操作した場合に、誤って電源を遮断することが防止される。
【００１１】
また他の実施形態によると、上記画像読み取り装置において、電源遮断回路は、一端を電源回路に接続され、第１操作スイッチの操作により変化する電位を制御端子に受ける第１トランジスタと、一端に第１トランジスタの他端を接続され、第２操作スイッチの操作により変化する電位を第２操作スイッチと共通に制御端子に受ける第２トランジスタと、一端を電源回路に接続され、他端を内部回路に接続され、制御端子に第２トランジスタの他端を接続された第３トランジスタとを有する。これにより、簡潔な回路で上記の機能を実現できる。また、画像読み取り装置の制御回路と関係なく操作スイッチの電源スイッチとしての操作を検出できるので、画像読み取り装置の動作に影響を与えることがない。
【００１２】
また他の実施形態によると、上記画像読み取り装置において、内部回路が電源回路から遮断されている場合に、操作部に対する操作を電気的に検出したときに、内部回路に電源を投入する電源投入回路を更に備える。これにより、電源の投入についても、画像読み取り装置の稼働中に操作スイッチとして機能する操作スイッチを、電源スイッチとしても利用できる。従って、物理的なスイッチ部品の数を削減して、部品コストを低減できると共に、画像読み取り装置の表面積を減らして小型化することができる。また、電源遮断回路を、特定機能を実行する内部回路から独立して実装するので、既存の画像読み取り装置の物理的構造を変更することなく、電源スイッチの機能を付加できる。
【００１３】
また他の実施形態によると、上記画像読み取り装置において、電源投入回路は、一端を電源回路に接続され、他端を画像読み取り装置の内部回路に接続され、操作スイッチの操作により変化する電位を制御端子に受けるトランジスタを含む。これにより、これにより、簡潔な回路で上記の機能を実現できる。また、画像読み取り装置の制御回路と関係なく操作スイッチの電源スイッチとしての操作を検出できるので、画像読み取り装置の動作に影響を与えることがない。
【００１４】
なお、上記の発明の概要は、本発明の必要な特徴の全てを列挙したものではなく、これらの特徴群のサブコンビネーションもまた、発明となりうる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図１は、ひとつの実施形態に係る画像読み取り装置１００の外観を示す斜視図である。同図の画像読み取り装置１００は、薄い箱型の筐体１１０、および、その上面に装着された原稿押さえ１２０を有する。また、筐体１１０の前面には、持ち上げる場合に原稿押さえ１２０に指を掛けやすいように、切欠き部１１２が形成され、原稿押さえ１２０の前縁が部分的に突出する。更に、画像読み取り装置１００は、原稿押さえ１２０の側部の平坦な領域に配置された、４つの操作スイッチ１３２、１３４、１３６、１３８を有する。
【００１７】
図２は、画像読み取り装置１００を後方から見た様子を示す斜視図である。同図に示すように、原稿押さえ１２０の後端は、ヒンジ１２２を介して筐体１１０に結合される。これにより、後縁を軸にして原稿押さえ１２０を開くことができ、後述する原稿台１１４上に原稿を載せることができる。
【００１８】
また、筐体１１０の背面において、操作スイッチ１３２、１３４、１３６、１３８の後方には、アダプタソケット１４０および接続ポート１５０が形成される。アダプタソケット１４０には、電源アダプタ２００のアダプタプラグ２３０が差し込まれる。電源アダプタ２００は、コンセント２０１へのプラグを一体に備える交流／直流変換器２１０と、交流／直流変換器２１０からアダプタプラグ２３０までを接続する電源ケーブル２２０とを備える。これにより、画像読み取り装置１００には、直流の電力が供給される。また、接続ポート１５０には、後述する情報処理装置５１０等に接続する接続ケーブル５１８が接続される。
【００１９】
図３は、図１および図２に示した画像読み取り装置１００を、その原稿押さえ１２０を開いた状態で示す図である。同図に示すように、筐体１１０の上面には透明なガラス板あるいはプラスチック板等により形成された原稿台１１４が形成される。また、原稿台１１４の下方には、ラインセンサ１６２および光源１６４を搭載したキャリッジ１６０が配置される。キャリッジ１６０は、図示していない駆動機構により、ラインセンサ１６２の延在方向と直交する方向に、図中に矢印Ｙで示すように往復移動できる。従って、原稿台１１４に載せられた原稿１７０の下面全体を、ラインセンサ１６２で走査できる。
【００２０】
なお、筐体１１０の上面において、操作スイッチ１３２、１３４、１３６、１３８の前方には空いたスペースがあるように見える。しかしながら、キャリッジ１６０が右端まで移動した場合に、その一部が入り込むので、この領域に筐体１１０内部まで突出する部材を装着することはできない。
【００２１】
図４は、画像読み取り装置１００を稼働させる場合に形成される原稿読み取りシステム５００を示す図である。同図に示すように、この原稿読み取りシステム５００において、画像読み取り装置１００は、その接続ポート１５０に接続された接続ケーブル５１８を介して、ホスト装置としての情報処理装置５１０に接続される。情報処理装置５１０は、表示装置５２０共に、ユーザからの入力手段であるキーボード５１２およびマウス５１４と、ユーザに対して画像を表示する表示装置５２０とを備える。
【００２２】
また、情報処理装置５１０は、磁気ディスク、光ディスク等の記録媒体に対して情報を読み書きするディスクドライブ５１６、外部と通信することにより情報をやりとりできる通信回線（不図示）も備えている。従って、ディスクドライブ５１６に装入した記録媒体、通信回線等を介して、画像読み取り装置１００のドライバをインストールすることにより、情報処理装置５１０から画像読み取り装置１００を操作できる。
【００２３】
上記のような原稿読み取りシステム５００を形成することにより、ユーザは、所望の画像を情報化して、表示装置５２０に表示させることができる。また、得られた画像情報を保存して、更に、所望の処理を実行できる。また、画像読み取り装置１００側で発生した、エラー、次の操作の案内等をメッセージとして表示装置５２０に表示させることができる。更に、画像読み取り装置１００において操作スイッチ１３２、１３４、１３６、１３８を操作することにより、情報処理装置５１０にそれぞれ異なる特定の動作を実行させることもできる。例えば、操作スイッチ１３２には、予め設定された条件で原稿を読み取る手順の実行が割り当てられ、操作スイッチ１３４には、読み取った画像情報をメールプロトコルに則って転送する手順の実行が割り当てられ、操作スイッチ１３６には、読み取った画像を記録装置（不図示）により直接に印刷する手順の実行が割り当てられ、操作スイッチ１３８には、読み取った画像を特定のファイルフォーマットで保存する手順の実行が割り当てられる。
【００２４】
図５は、筐体１１０の内部回路３００において、操作部１３０の操作スイッチ１３２に接続された回路基板３０１上の回路構造を示す図である。同図に示すように、操作スイッチ１３２は、一端を抵抗および整流素子を介して論理電圧の電圧源に接続され、他端を接地電位に接続される。操作スイッチ１３２が押し下げられた場合に変化した電位は、スイッチ回路３３２を形成するトランジスタＱ１２の制御端子に印加される。これにより、トランジスタＱ１２の両端が導通し、スイッチ回路３３４およびスイッチ回路３３６が順次投入される。いったんスイッチ回路３３６が導通すると、抵抗Ｒ１６を介してスイッチ回路３３４の制御端子に電圧が印加されるので、スイッチ回路３３４の導通状態が維持され、スイッチ回路３３６の導通状態も維持される。こうして、読み取り部３２０が電圧源に結合され続け、画像読み取り装置１００が動作できる状態になる。なおここで、電圧源は電源回路の一例である。
【００２５】
また、電圧源および操作スイッチ１３２の間には、特定動作の手順を実行する機能（１）３１２が接続され、起動回路３５１が形成される。これにより、電源が投入されて画像読み取り装置１００が動作できる状態において操作スイッチ１３２が押し下げられると、接続点の電位の変化が機能（１）３１２に検知され、機能（１）３１２が起動される。
【００２６】
更に、操作スイッチ１３２が押し下げられた場合に変化した電位は、遅延回路３４０を形成するＦＥＴＱ１０の制御端子にも印加され、ＦＥＴＱ１０を導通させる。ただし、ＦＥＴＱ１０は、操作スイッチ１３２が切断されると直ちに導通しなくなる。従って、操作スイッチ１３２を押し続ける時間が短い場合は、内部回路３００の状態に影響を与えない。しかしながら、コンデンサ群Ｃ１０が充電される時間を越えて操作スイッチ１３２を押し続けると、遅延回路３４０のもうひとつのＦＥＴＱ２０の制御端子電位が変化する。これによりＦＥＴＱ２０が導通し、トランジスタＱ１４の制御端子電位を降下させる。こうして、スイッチ回路３３４、３３６が順次遮断され、読み取り部３２０は電圧源から遮断される。
【００２７】
このように、内部回路３００を備えた画像読み取り装置１００では、操作スイッチ１３２が押されると電源が投入され、電源が投入された状態で操作スイッチ１３２が押されると機能（１）３１２が起動され、更に、電源が投入された状態で操作スイッチ１３２を長時間押し続けると電圧源への接続が遮断される。また、操作スイッチ１３２を一定の期間にわたって押し続けなければ電源は遮断されないので、稼働中に誤って電源を遮断することが防止される。
【００２８】
図６は、他の実施形態に係る内部回路４００において、操作部１３０の操作スイッチ１３２、１３４、１３６、１３８に接続された回路基板４０１上の回路構造を示す図である。同図に示すように、操作スイッチ１３２、１３４、１３６、１３８は、一端を抵抗および整流素子を介して論理電圧の電圧源に接続され、他端を接地電位に接続される。操作スイッチ１３４または操作スイッチ１３８が押し下げられた場合に変化した電位は、スイッチ回路３３２を形成するトランジスタＱ１２の制御端子に印加される。これにより、トランジスタＱ１２が導通すると、遅延スイッチ回路３３３およびスイッチ回路３３６が順次投入され、トランジスタＱ１３およびトランジスタＱ１６が順次導通する。トランジスタＱ１６が導通すると、抵抗Ｒ１６を介してスイッチ回路３３４の制御端子に電圧が印加されるので、スイッチ回路３３４の導通状態が維持され、スイッチ回路３３６の導通状態も維持される。こうして、読み取り部３２０が電圧源に結合され続け、画像読み取り装置１００が動作できる状態になる。
【００２９】
また、論理電圧の電圧源および操作スイッチ１３２、１３４、１３６、１３８の各々の間には、それぞれ固有の特定動作手順を実行する機能（１）３１２、機能（２）３１４、機能（３）３１６、機能（４）３１８が接続され、それぞれに起動回路３５２、３５４、３５６、３５８が形成される。これにより、電源が投入されて画像読み取り装置１００が動作できる状態において操作スイッチ１３２、１３４、１３６、１３８のいずれかが押し下げられると、変化した接続点の電位を対応する機能（１）３１２、機能（２）３１４、機能（３）３１６、機能（４）３１８が検知して起動される。
【００３０】
更に、この内部回路４００では、操作スイッチ１３２および操作スイッチ１３６が押し下げられた場合に変化した電位は、それぞれ、スイッチ回路３４２、３４４を形成するトランジスタＱ２２、Ｑ２４の制御端子に印加される。スイッチ回路３４２、３４４は、電源電圧および遅延スイッチ回路３４６との間に縦列に接続されているので、操作スイッチ１３２および操作スイッチ１３６が同時に押し下げられた場合に、これらの間を導通させる。これにより、遅延スイッチ回路３４６を形成するＦＥＴＱ３０の制御端子に電圧が印加されるので、遅延スイッチ回路３３３のトランジスタＱ１３の制御端子電位を降下させる。こうして、遅延スイッチ回路３３３、３３６が順次遮断され、読み取り部３２０は電圧源から遮断される。
【００３１】
このように、内部回路４００を備えた画像読み取り装置１００では、操作スイッチ１３４および操作スイッチ１３８の少なくとも一方が押されると電源が投入され、電源が投入された状態で操作スイッチ１３２、１３４、１３６、１３８のいずれかが押されると、それぞれに対応した機能（１）３１２、機能（２）３１４、機能（３）３１６、機能（４）３１８が起動され、更に、電源が投入された状態で操作スイッチ１３２および操作スイッチ１３６を同時に押し下げると電圧源への接続が遮断される。また、操作スイッチ１３２および操作スイッチ１３６を同時に押し下げないと電源は遮断されないので、稼働中に誤って電源を遮断することが防止される。
【００３２】
なお、上記の実施形態では、電源を投入するスイッチとして操作スイッチ１３４および操作スイッチ１３８を割り当てた。しかしながら、図中に点線Ｍで示すように、全ての操作スイッチ１３２、１３４、１３６、１３８をスイッチ回路３３２に接続することにより、いずれのスイッチによっても電源が投入できる構造することもできる。また、各スイッチ回路３３２、３４２、３４４に遅延機能をもたせ、電源スイッチとして操作した場合に動作するまでにタイムラグを設けることもできる。
【００３３】
次に、図６に示した内部回路４００の電源スイッチとしての動作について、タイミングチャートを参照して詳細に説明する。図７は、図６に示した内部回路４００に接続された操作部１３０において、電源が遮断されている画像読み取り装置１００の操作スイッチ１３８が操作された場合の内部回路４００の動作を示すタイミングチャートである。また、タイミングチャートにおける各曲線は、図６に示した各ノードＡ〜Ｄ、Ｘ〜Ｚにおける電位の変化を示す。
【００３４】
同図に示すように、電圧源によりノードＡには電圧源の電源が印加される。しかしながら、スイッチ回路３３６は導通していないので、ノードＢにはこの電圧は印加されておらず、読み取り部３２０は動作しない。このような画像読み取り装置１００に対して、図中のタイミングＭ１において操作スイッチ１３８が押し下げられると、スイッチ回路３３２が導通して、ノードＣの電圧が上昇する。これにより、遅延スイッチ回路３３３およびスイッチ回路３３６が順次導通して、ノードＢの電位も電源電圧まで上昇する。こうして、読み取り部３２０に電力が供給され始める。また、操作スイッチ１３８が押し下げられたタイミングＭ１には３．３Ｖの論理電源が有効になり、操作スイッチ１３２、１３６に対応した起動回路３５２、３５６のノードＹ、Ｚの電圧も上昇するので、起動回路３５２、３５６が有効になる。
【００３５】
また、図中に示すタイミングＭ２において操作スイッチ１３８が開放されてもスイッチ回路３３６の出力電圧が抵抗Ｒ１６を介してスイッチ回路３３４のトランジスタＱ１４の制御端子に接続されるので、ノードＢの電圧は電源電圧のまま維持される。従って、読み取り部３２０は動作できる。また、起動回路３５８のノードＸの電圧が上昇するので操作スイッチ１３８に対応した起動回路３５８が有効になる。なお、図示は省略したが、起動回路３５４も同時に有効になる。また、遅延スイッチ回路３４６はこれら一連の動作によっては導通しないので、ノードＤの電位は一貫して変化しない。
【００３６】
図８は、既に電源を投入された画像読み取り装置１００において、操作スイッチ１３２および操作スイッチ１３６が押し下げられた場合の動作を示すタイミングチャートである。同図に示すように、電源が投入された状態なので、図７のタイミングチャートにおける右端の状態と同様に、ノードＢは電源電圧を印加され、読み取り部３２０に電力が供給されている。また、起動回路３５２、３５６、３５８の各々も有効になっている。ここで、図中のタイミングＭ３において操作スイッチ１３２および操作スイッチ１３６が同時に押し下げられると、スイッチ回路３４２、３４４が導通して、ノードＤの電位が上昇し始める。
【００３７】
やがて、タイミングＭ４に、ノードＤの電位が、遅延スイッチ回路３４６を形成するＦＥＴＱ３０のオン電圧Ｖ１に達すると、遅延スイッチ回路３４６が導通してノードＣを接地電位に結合させる。これにより、遅延スイッチ回路３３３およびスイッチ回路３３６が順次遮断され、ノードＢは、ノードＡから遮断される。こうして、読み取り部３２０は電圧源から遮断される。また、３．３Ｖが供給されていた論理電源の電位が低下し起動回路３５２、３５６、３５８も無効になる。更に、タイミングＭ５において操作スイッチ１３２、１３６が開放されると、スイッチ回路３４２、３４４が遮断される。これにより、ノードＤの電位はＲ３０を介して放電されて接地電位へと低下する。従って、トランジスタＱ３０の制御端子の電位が低下して、遅延スイッチ回路３４６も遮断される。
【００３８】
なお、ノードＤの電位が、ＦＥＴＱ３０のオフ電圧Ｖ２よりも低下するタイミングＭ６よりも後のタイミングＭ７において操作スイッチ１３８が押し下げられた場合は、図７に示した場合と同じ動作により、画像読み取り装置１００の電源が投入される。一方、ノードＤの電位が、ＦＥＴＱ３０のオフ電圧Ｖ２よりも低下する前に再び操作スイッチ１３８が押し下げられた場合は、遅延スイッチ回路３３３が導通しないので、スイッチ回路３３６も導通しない。しかしながら、ノードＤの電位はやがてＦＥＴＱ３０のオフ電圧Ｖ２よりも低下するので、操作スイッチ１３８が改めて押し下げられれば、画像読み取り装置１００の電源が再投入される。
【００３９】
図９は、電源が投入された状態の画像読み取り装置１００に対して電源を遮断する目的で操作スイッチ１３２、１３６が同時に押し下げられた場合であって、操作スイッチ１３２、１３６を押し下げてから開放するまでの期間が特に長い場合の内部回路４００の動作を、図８に示した場合と比較して示すタイミングチャートである。なお、同図に示すタイミング、Ｍ３〜Ｍ７は、図８に示したタイミングＭ３〜Ｍ６と同様に、操作スイッチ１３２、１３６が同時に押し下げられたタイミング、ノードＤの電位がＦＥＴＱ３０のオン電圧Ｖ１に達したタイミング、操作スイッチ１３２、１３６が開放されたタイミング、ノードＤの電位がＦＥＴＱ３０のオフ電圧Ｖ２に達したタイミング、操作スイッチ１３２、１３６が再び同時に押し下げられたタイミングをそれぞれ示す。
【００４０】
同図に示すように、図９に示した場合においても、タイミングＭ３からタイミングＭ６に至るまでに変化する電位の変化の関係は変わらない。ただし、タイミングＭ３において操作スイッチ１３２、１３６が押し下げられてから、タイミングＭ５に同操作スイッチ１３２、１３６が開放されるまでの間隔が長いのでＣ３０が既に充電されきっている。このため、タイミングＭ５に同操作スイッチ１３２、１３６が開放されてから、ノードＤの電位がＦＥＴＱ３０のオフ電圧Ｖ２まで低下するタイミングＭ７までの期間が長くなる。
【００４１】
前記した通り、このタイミングＭ５からタイミングＭ７までの期間は電源の再投入ができないので、この期間はより短いことが好ましい。そこで、例えば、遅延スイッチ回路３４６に含まれる抵抗素子Ｒ３０および容量素子Ｃ３０の抵抗値および容量値を低下させることにより、ノードＤの電位が低下する速度を向上させることができる。また、スイッチ回路３４４および遅延スイッチ回路３４６の間に一端を接続され、他端を接地電位に接続され、操作スイッチ１３２または操作スイッチ１３６のいずれかが押し下げられた場合に導通するスイッチ回路を追加することにより、遅延スイッチ回路３４６を急速に放電させることもできる。
【００４２】
このように、この画像読み取り装置１００においては、稼働中に特定動作を実行する場合に操作の対象となる操作スイッチ１３２、１３４、１３６、１３８を、電源スイッチとしても利用できる。従って、物理的なスイッチ部品の数を削減して、部品コストを低減できると共に、画像読み取り装置１００の表面積を減らして小型化することができる。また、電源を遮断すべくとられた操作を検出する電源遮断回路を、特定機能を起動する起動回路３５１、３５２、３５４、３５６、３５８から独立して実装するので、既存の画像読み取り装置１００のファームウェアを変更することなく、操作スイッチを電源スイッチとして兼用することができる。
【００４３】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００４４】
【図１】ひとつの実施形態に係る画像読み取り装置１００の外観を示す斜視図である。
【図２】画像読み取り装置１００を後方から見た様子を示す斜視図である。
【図３】原稿押さえ１２０を開いた状態の画像読み取り装置１００を示す図である。
【図４】画像読み取り装置１００を稼働させる場合に形成される原稿読み取りシステム５００を示す図である。
【図５】操作部１３０に接続される内部回路３００の構造を示す回路図である。
【図６】他の実施形態に係る内部回路４００の構造を示す回路図である。
【図７】内部回路４００の動作を示すタイミングチャートである。
【図８】内部回路４００の他の動作を示すタイミングチャートである。
【図９】内部回路４００の更に他の動作を示すタイミングチャートである。
【符号の説明】
【００４５】
１００  画像読み取り装置、１１０  筐体、１１２  切欠き部、１１４  原稿台、１２０  原稿押さえ、１２２  ヒンジ、１３０  操作部、１３１  パイロットランプ、１３２、１３４、１３６、１３８  操作スイッチ、１４０  アダプタソケット、１５０  接続ポート、１６０  キャリッジ、１６２  ラインセンサ、１６４  光源、２００  電源アダプタ、２０１  コンセント、２１０  交流／直流変換器、２２０  電源ケーブル、２３０  アダプタプラグ、３００、４００  内部回路、３０１、４０１  回路基板、３１２  機能（１）、３１４  機能（２）、３１６  機能（３）、３１８  機能（４）、３２０  読み取り部、３３２、３３４、３３６、３４２、３４４  スイッチ回路、３３３、３４６  遅延スイッチ回路、３４０  遅延回路、３５１、３５２、３５４、３５６、３５８  起動回路、５００  システム、５１０  情報処理装置、５１２  キーボード、５１４  マウス、５１６  ディスクドライブ、５１８  接続ケーブル、５２０  表示装置、
【図１】
2008147827.tif 000003
【図２】
2008147827.tif 000004
【図３】
2008147827.tif 000005
【図４】
2008147827.tif 000006
【図５】
2008147827.tif 000007
【図６】
2008147827.tif 000008
【図７】
2008147827.tif 000009
【図８】
2008147827.tif 000010
【図９】
2008147827.tif 000011